(57)【要約】【課題】例えば濡れた毛髪の束を効果的にばらして乾燥時間を短縮でき、その上、構造の複雑化を防ぐことができ、なおかつ圧損の上昇を抑えることができる送風装置を提供する。【解決手段】突起部(１７，１８)は、                          ０．１≦ｈ／Ｈ≦０．６  ｈ：突起部(１７，１８)の軸方向に垂直な方向、かつ、突起部(１７，１８)が突出する突出方向において、ノズル入口(１３ａ)の内縁とノズル出口(１３ｂ)の内縁とを通る仮想平滑面(Ｆ)に対する突起部(１７，１８)の最大高さ(ｈ１７，ｈ１８)、または、最大高さ(ｈ１７，ｈ１８)の合計値  Ｈ：突起部１７，１８の最大高さの点を通ってノズル１３の軸方向に垂直な方向に延在する直線上において、仮想平滑面(Ｆ)同士間の距離を満たす。【選択図】図２
2014094240.tif 000002
【特許請求の範囲】
【請求項１】
吸入口および吐出口を有する本体部と、
上記本体部内に配置され、上記吸入口から上記吐出口に向けて送風する送風部と、
上記吐出口に装着されたノズルと
を備え、
上記ノズルは、上記吐出口に連結されるノズル入口を一端に有すると共に、開口するノズル出口を他端に有する筒体で構成され、
上記ノズルの内壁には、内側に向かって突出する突起部が、単数、または、上記ノズルの軸方向に垂直な方向において互いに対向するように複数設けられ、
上記突起部は、
０．１≦ｈ／Ｈ≦０．６
ｈ：上記ノズルの軸方向に垂直な方向、かつ、上記突起部が突出する突出方向において、上記ノズル入口の内縁と上記ノズル出口の内縁とを通る仮想平滑面に対する上記突起部の最大高さ、または、上記最大高さの合計値
Ｈ：上記突起部の最大高さの点を通って上記ノズルの軸方向に垂直な方向に延在する直線上において、上記仮想平滑面同士間の距離
を満たすことを特徴とする送風装置。
【請求項２】
請求項１に記載の送風装置において、
上記突起部は、上記ノズルの軸方向の略中央で上記最大高さを有することを特徴とする送風装置。
【請求項３】
請求項１または２に記載の送風装置において、
上記ノズルの軸方向に垂直な方向、かつ、上記突出方向に平行な方向において、上記仮想平滑面に対する上記突起部の高さは、上記ノズル出口に近づくにしたがって減少することを特徴とする送風装置。
【請求項４】
請求項１から３までのいずれか一項に記載の送風装置において、
上記ノズルの軸方向において、上記突起部の表面は上記ノズルの内壁に滑らかに接続されていることを特徴とする送風装置。
【請求項５】
請求項１から４までのいずれか一項に記載の送風装置において、
上記ノズルの上記ノズル入口近傍の内壁において、上記ノズルの軸方向に垂直な縦方向の長さは、上記ノズルの軸方向に垂直な横方向の長さと略同じであり、
上記縦方向の長さは、上記ノズル入口側から上記ノズル出口側に近づくにしたがって減少する一方、上記横方向の長さは、上記ノズル入口側から上記ノズル出口側に近づくにしたがって増加し、
上記ノズルは、
１≦ａ／Ａ≦２．４
ａ：上記ノズル出口の開口面積
Ａ：上記ノズル入口の開口面積
を満たすことを特徴とする送風装置。
【請求項６】
請求項１から５までのいずれか一項に記載の送風装置において、
上記ノズルを上記ノズルの軸方向に垂直な面で切ったとき、上記ノズルの内壁は、円弧と直線のうち少なくとも円弧を含む形状を呈することを特徴とする送風装置。
【請求項７】
請求項１から６までのいずれか一項に記載の送風装置において、
上記突起部の数は複数であり、
上記ノズルを上記ノズルの軸方向に垂直な面で切ったとき、上記突起部が、四角形の対角に位置するように設けられていることを特徴とする送風装置。
【請求項８】
請求項１から７までのいずれか一項に記載の送風装置において、
上記ノズルの内壁には、上記突起部に隣接する溝部が設けられていることを特徴とする送風装置。
【請求項９】
請求項１から８までのいずれか一項に記載の送風装置において、
上記突起部の表面は湾曲面を含むことを特徴とする送風装置。
【発明の詳細な説明】
【技術分野】
【０００１】
本発明は、例えばヘアドライヤなどの送風装置に関する。
【背景技術】
【０００２】
送風装置の一例であるヘアドライヤでは、髪ケア関連商品特有の要望として、毛髪の乾燥時間の短縮が望まれている。
【０００３】
上記乾燥時間を短縮する方法としては、濡れた毛髪はまとまって塊になる傾向にあるため、毛髪をばらして接触表面積を増加させて、乾燥効率を上げる方法がある。
【０００４】
従来、ヘアドライヤとしては、特許第４４２００５９号公報(特許文献１)に記載されているように、本体ハウジングと、この本体ハウジング内に形成された空気流路と、この空気流路内に配置された送風用のファンと、空気流路の下流端部に連通する空気吐出用のノズルとを備えたものがある。
【０００５】
上記ノズル内には複雑な形状の仕切り壁を設けて、ノズル内を複数の分割流路に分割している。これにより、上記分割流路から直接的に風を吐出されることのない中央の弱風領域と、この弱風領域を挟む両側にあって分割流路から直接的に風を吐出される強風領域とを形成している。
【先行技術文献】
【特許文献】
【０００６】
【特許文献１】特許第４４２００５９号公報
【発明の概要】
【発明が解決しようとする課題】
【０００７】
しかしながら、上記従来の送風装置では、ノズル内に複雑な形状の仕切り壁を設けるため、構造が複雑化してしまうことにより、設計が困難になると共に、生産工程が増えるという問題があった。
【０００８】
また、上記従来の送風装置では、ノズル内を複数の分割流路に分割するために、ノズルの上下方向に端から端までに渡るついたて(棒)を設けていたが、このついたてを含む構造では圧損が高まり風量は減少し、騒音は増大するという問題があった。
【０００９】
そこで、本発明は、例えば濡れた毛髪の束を効果的にばらして乾燥時間を短縮でき、その上、構造の複雑化を防ぐことができ、なおかつ圧損の上昇を抑えることができる送風装置を提供することを目的とする。
【課題を解決するための手段】
【００１０】
上記目的を達成するため、本発明の送風装置は、
吸入口および吐出口を有する本体部と、
上記本体部内に配置され、上記吸入口から上記吐出口に向けて送風する送風部と、
上記吐出口に装着されたノズルと
を備え、
上記ノズルは、上記吐出口に連結されるノズル入口を一端に有すると共に、開口するノズル出口を他端に有する筒体で構成され、
上記ノズルの内壁には、内側に向かって突出する突起部が、単数、または、上記ノズルの軸方向に垂直な方向において互いに対向するように複数設けられ、
上記突起部は、
０．１≦ｈ／Ｈ≦０．６
ｈ：上記ノズルの軸方向に垂直な方向、かつ、上記突起部が突出する突出方向において、上記ノズル入口の内縁と上記ノズル出口の内縁とを通る仮想平滑面に対する上記突起部の最大高さ、または、上記最大高さの合計値
Ｈ：上記突起部の最大高さの点を通って上記ノズルの軸方向に垂直な方向に延在する直線上において、上記仮想平滑面同士間の距離
を満たすことを特徴としている。
【００１１】
一実施形態の送風装置では、
上記突起部は、上記ノズルの軸方向の略中央で上記最大高さを有する。
【００１２】
一実施形態の送風装置では、
上記ノズルの軸方向に垂直な方向、かつ、上記突出方向に平行な方向において、上記仮想平滑面に対する上記突起部の高さは、上記ノズル出口に近づくにしたがって減少する。
【００１３】
一実施形態の送風装置では、
上記ノズルの軸方向において、上記突起部の表面は上記ノズルの内壁に滑らかに接続されている。
【００１４】
一実施形態の送風装置では、
上記ノズルの上記ノズル入口近傍の内壁において、上記ノズルの軸方向に垂直な縦方向の長さは、上記ノズルの軸方向に垂直な横方向の長さと略同じであり、
上記縦方向の長さは、上記ノズル入口側から上記ノズル出口側に近づくにしたがって減少する一方、上記横方向の長さは、上記ノズル入口側から上記ノズル出口側に近づくにしたがって増加し、
上記ノズルは、
１≦ａ／Ａ≦２．４
ａ：上記ノズル出口の開口面積
Ａ：上記ノズル入口の開口面積
を満たす。
【００１５】
ここで、上記横方向は、上記縦方向に垂直な方向を指す。
【００１６】
一実施形態の送風装置では、
上記ノズルを上記ノズルの軸方向に垂直な面で切ったとき、上記ノズルの内壁は、円弧と直線のうち少なくとも円弧を含む形状を呈する。
【００１７】
一実施形態の送風装置では、
上記突起部の数は複数であり、
上記突起部は、上記ノズルを上記ノズルの軸方向に垂直な面で切ったとき、四角形の対角に位置するように設けられている。
【００１８】
一実施形態の送風装置では、
上記ノズルの内壁には、上記突起部に隣接する溝部が設けられている。
【００１９】
一実施形態の送風装置では、
上記突起部の表面は湾曲面を含む。
【発明の効果】
【００２０】
本発明の送風装置は、吸入口および吐出口を有する本体部と、この本体部内に配置され、吸入口から吐出口に向けて送風する送風部と、吐出口に装着されたノズルとを備え、ノズルの内壁には、内側に向かって突出する突起部が単数または複数設けられ、突起部は、０．１≦ｈ／Ｈ≦０．６を満たすので、ノズル出口から吹き出る風の風速を位置によって効果的に異ならせることができる。したがって、上記ノズル出口から吹き出る風を、濡れて束になっている毛髪に当てた場合、毛髪の束を効果的にばらして乾燥時間を短縮できる。
【００２１】
また、上記突起部によって、ノズル出口から吹き出る風の風速を位置によって効果的に異ならせることができるので、特許第４４２００５９号公報の複雑な形状の仕切り壁をノズル内に設けなくてもよい。したがって、上記ノズルの構造の複雑化を防ぐことができ、なおかつ圧損の上昇を抑えることができる。
【図面の簡単な説明】
【００２２】
【図１】図１は本発明の実施形態１のヘアドライヤの概略縦断面図である。
【図２】図２の上記ヘアドライヤのノズルの構造を説明するための模式図である。
【図３】図３は上記ヘアドライヤで測定された風量とｈ／Ｈとの関係のグラフである。
【図４】図４は上記ヘアドライヤで測定された騒音とｈ／Ｈとの関係のグラフである。
【図５】図５は無次元偏流度指標とｈ／Ｈとの関係のグラフである。
【図６】図６は風速のばらつきと風量の効率とｈ／Ｈとの関係を示すグラフである。
【図７】図７は上記実施形態１の変形例のノズルを装着したドライヤで測定された風量とａ／Ａとの関係のグラフである。
【図８】図８は上記実施形態１の変形例のノズルを装着したドライヤで測定された風量とノズルの広がり角度との関係のグラフである。
【図９】図９は本発明の実施形態２のヘアドライヤのノズルの模式断面図である。
【図１０】図１０は上記ノズルの概略側面図である。
【図１１】図１１は上記ノズルの概略平面図である。
【図１２】図１２は本発明の他の実施形態のノズルの模式断面図である。
【図１３】図１３は本発明の他の実施形態のノズルの模式断面図である。
【図１４】図１４は本発明の他の実施形態のノズルの模式断面図である。
【図１５】図１５は本発明の他の実施形態のノズルの模式断面図である。
【図１６】図１６は本発明の他の実施形態のノズルの模式断面図である。
【図１７】図１７は本発明の他の実施形態のノズルの模式断面図である。
【図１８】図１８は本発明の他の実施形態のノズルの模式断面図である。
【発明を実施するための形態】
【００２３】
以下、本発明の実施形態について図面を参照しながら説明する。
【００２４】
［実施形態１］
図１は本発明の実施形態１のヘアドライヤ１の概略縦断面図である。
【００２５】
上記ヘアドライヤ１は、使用者が手で握る部分としての把持部２と、この把持部２の根元部２ａに連結部５を介して回動可能に連結された本体部３と、この本体部３内に配置されたファン６とを備えており、使用時には把持部２と本体部３とで略Ｔ字状または略Ｌ字状の外観を呈するものである。なお、ファン６は送風部の一例である。
【００２６】
上記把持部２の先端部２ｂからは、電源コード７が引き出されている。また、把持部２は、連結部５を中心に回動させて、本体部３に沿うように折り畳むことができるようになっている。
【００２７】
また、上記本体部３の内部には、吸入口３ａ側から吐出口３ｂに向かって延在する風流路４が形成されている。この風流路４内に収容されたファン６が回転すると、外部からの空気が、吸入口３ａを介して風流路４内に流入して、この風流路４内を通ってノズル１３側へ流れる。すなわち、ファン６は、吸入口３ａ側から吐出口３ｂに向かって送風する。
【００２８】
上記ファン６の下流側にはモータ１０が配置されている。このモータ１０は、ファン６に連結された出力軸１０ａを有している。この出力軸１０ａがファン６と共に回転する。
【００２９】
また、上記モータ１０の下流側にはヒータ１１が配置されている。このヒータ１１は、本体部３の連結部５近傍に設けられたスイッチ９により動作モードを切り換えることができるようになっている。より詳しくは、スイッチ９の操作によって、ヒータ１１を作動させて、ノズル１３から温風が吹き出るようになったり、ヒータ１１を作動させないで、ノズル１３から冷風が吹き出るようになったりする。
【００３０】
また、上記ファン６の上流側にはイオン発生器１５が配置されている。このイオン発生器１５は、特許第３６８０１２１号に記載されているように、プラスイオン電極と、マイナスイオン電極と、高電圧発生部とを有し、プラズマ放電に基づいて、著名な正負のＰＣＩ(プラズマクラスターイオン：登録商標)を放出する。
【００３１】
一方、上記ファン６の下流側には、モータ１０を支持する整流翼１４が設けられている。より詳しくは、整流翼１４は、モータ１０を支持する略円筒状の筒状部１４ａと、この筒状部１４ａから外方に向かって延びる翼部１４ｂとを有している。この翼部１４ｂを通過した空気は、一部がヒータ１１側へ流れ、他の一部がイオン流路１２側へ流れる。
【００３２】
上記イオン流路１２は、本体部３内の把持部２側に設けられている。このイオン流路１２はヒータ１１と隣り合っており、ヒータ１１とイオン流路１２の間には仕切壁１６が設けられている。
【００３３】
上記ノズル１３は、吐出口３ｂに連結されるノズル入口１３ａを一端に有すると共に、開口するノズル出口１３ｂを他端に有する筒体で構成されている。また、ノズル１３は本体部３に着脱可能になっている。
【００３４】
図２において、左図はノズル１３の模式正面図であり、中央図は左図のＣ−Ｃ線矢視の模式断面図であり、右図は中央図のＲ−Ｒ線矢視の模式断面図である。
【００３５】
上記ノズル１３の内壁には、内側に向かって突出する２個の突起部１７，１８が設けられている。この突起部１７，１８は、
０．１≦ｈ／Ｈ≦０．６
ｈ：ノズル１３の軸方向に垂直な方向、かつ、突起部１７，１８が突出する突出方向(図２の上下方向)に平行な方向において、ノズル入口１３ａの内縁とノズル出口１３ｂの内縁とを通る仮想平滑面Ｆに対する突起部１７，１８の最大高さｈ１７，ｈ１８の合計値
Ｈ：突起部１７，１８の最大高さの点を通ってノズル１３の軸方向に垂直な方向に延在する直線上において、仮想平滑面Ｆ同士間の距離
を満たす。
【００３６】
仮に、上記突起部１７，１８の形状が点線で示すような形状であれば、ｈ’１７とｈ’１８の合計値がｈとなる。
【００３７】
また、上記突起部１７，１８は、ノズル１３の軸方向の中央で最大高さｈ１７，ｈ１８を有している。
【００３８】
また、上記突起部１７，１８は、ノズル１３の断面の外縁を成す短軸方向(図２の上下方向)において互いに対向している。ここで、上記ノズル１３の断面とは、突起部１７，１８の最大高さの点を含んでノズル１３の軸方向に垂直な面でノズル１３を切った断面を指す。
【００３９】
また、上記ノズル１３の軸方向に垂直な方向、かつ、上記突出方向に平行な方向において、仮想平滑面Ｆに対する突起部１７，１８の高さは、ノズル出口１３ｂに近づくにしたがって減少する。
【００４０】
また、上記ノズル１３の軸方向において、突起部１７，１８の表面はノズル１３の内壁に滑らかに接続されている。すなわち、ノズル１３の本体部３側の端から本体部３とは反対側に向かってＬ／４進んだ地点では、地点では、仮想平滑面Ｆに対する突起部１７，１８の高さは０ｍｍとなっている。また、ノズル１３の本体部３側の端から本体部３とは反対側に向かって３Ｌ／４進んだ地点でも、仮想平滑面Ｆに対する突起部１７，１８の高さは０ｍｍとなっている。すなわち、ノズル１３の本体部３側の端から本体部３とは反対側に向かってＬ／４進んだ地点と、ノズル１３の本体部３側の端から本体部３とは反対側に向かって３Ｌ／４進んだ地点とは、それぞれ、突起部１７，１８と仮想平滑面Ｆとの接続点になっている。
【００４１】
また、上記ノズル１３は、ノズル入口１３ａ側の肉厚が、ノズル出口１３ｂ側の肉厚よりも厚くなっている。
【００４２】
また、上記ノズル入口１３ａの内縁は略円形である一方、ノズル出口１３ｂは略楕円形である。
【００４３】
また、上記ノズル１３のノズル入口１３ａ近傍の内壁において、ノズル１３の軸方向に垂直な縦方向(図２の全図における上下方向)の長さは、ノズル１３の軸方向に垂直な横方向(図２の左図，右図における左右方向)の長さと略同じである。なお、上記横方向は上記縦方向に垂直な方向である。
【００４４】
また、上記縦方向の長さは、ノズル入口１３ａ側からノズル出口１３ｂ側に近づくにしたがって減少する一方、上記横方向の長さは、ノズル入口１３ａ側からノズル出口１３ｂ側に近づくしたがって増加している。
【００４５】
また、上記突起部１７，１８のそれぞれの表面は湾曲面を含んでいる。
【００４６】
以下、上記ノズル１３を用いた実験１について説明する。
【００４７】
上記実験１では、ノズル１３の軸方向の長さＬを５０ｍｍ、突起部ｈ１７，ｈ１８の根元の幅Ｗ１７，Ｗ１８を８ｍｍ、ノズル出口１３ｂの開口面積ａを２０３５ｍｍ２、ノズル入口１３ａの開口面積Ａを１８８５ｍｍ２、上記Ｈを２８ｍｍ、ファン回転数を１００００ｒｐｍに固定する一方、ｈ１７，ｈ１８を０から２０．５まで変化させて、ノズル出口１３ｂのＰ１〜Ｐ１１の風速を計測すると共に、JIS Z 8731に準じて、ヘアドライヤ１の騒音を測定した。
【００４８】
図３は、上記ヘアドライヤ１で測定された風量の無次元値と、ｈ／Ｈとの関係を示すグラフである。この風量の無次元値とは凸部のない場合の風量を１として無次元化した値である。
【００４９】
図４は、上記ヘアドライヤ１で測定された騒音と、ｈ／Ｈとの関係を示すグラフである。なお、上記騒音は１ｍ３／ｍｉｎ時のものにしている。なお、上記騒音の測定はJIS Z 8731に準じて行った。
【００５０】
図５は、凸部のない場合の偏流度指標を１として無次元化した無次元偏流度指標Ｓと、ｈ／Ｈとの関係を示すグラフである。この無次元偏流度指標Ｓは、
Ｓ＝(Ｖｍａｘ−Ｖｍｉｎ)／Ｖａｖｅ
Ｖｍａｘ：ノズル出口１３ｂのＰ１〜Ｐ１１の風速うちの最大風速
Ｖｍｉｎ：ノズル出口１３ｂのＰ１〜Ｐ１１の風速うちの最小風速
Ｖａｖｅ：ノズル出口１３ｂのＰ１〜Ｐ１１の風速の平均値
で求めた指標である。
【００５１】
図６は、風速のばらつきと風量の効率Ｅと、ｈ／Ｈとの関係を示すグラフである。この効率Ｅは、上記ヘアドライヤ１で測定された風量を、凸部の無い場合を１として無次元化した無次元風量と、無次元偏流度指標Ｓとの積である。また、上記効率Ｅは、突起部１７，１８が無いときには１となる。
【００５２】
図６に示すように、ｈ／Ｈを０．１０以上０．６０以下にしたとき、上記効率Ｅを５％向上させることができる。その上、そのとき、図４に示すように、騒音を６０ｄＢ未満に抑えることができる。
【００５３】
また、図４，図６に示すように、上記ｈ／Ｈが０．８０を越えると、上記効率Ｅを上げることができるが、風切り音による騒音が非常に大きくなってしまう。
【００５４】
すなわち、上記ヘアドライヤ１において、ファン６の回転駆動により、ファン６からの風がノズル入口１３ａからノズル出口１３ｂに向かって流れるとき、ノズル１３内の風の一部が、０．１≦ｈ／Ｈ≦０．６を満たす突起部１７，１８に衝突するので、ノズル１３内の風の流れに不均一性を確実に生じさせることができる。その結果、ノズル出口１３ｂから吹き出る風の風速を位置によって効果的に異ならせることができる。したがって、ノズル出口１３ｂから吹き出る風を、濡れて束になっている毛髪に当てた場合、毛髪の束を効果的にばらし、毛髪と風の接触面積を増やして、乾燥時間を短縮できる。
【００５５】
仮に、上記ノズル１３の内壁に、内側に向かって突出する突起部１７，１８を設けていなければ、ノズル１３内で風は均一に流れる。こうなると、濡れて束になったままの毛髪に風が当たるため、毛髪と風の接触面積は最小となって、毛髪を乾燥させるのに要する時間は長くなってしまう。
【００５６】
また、上記突起部１７，１８によって、ノズル出口１３ｂから吹き出る風の風速を位置によって異ならせることができるので、特許第４４２００５９号公報の複雑な形状の仕切り壁をノズル１３内に設けなくてもよい。したがって、上記ノズル１３の構造の複雑化を防ぐことができ、なおかつ圧損の上昇を抑えることができる。
【００５７】
また、上記突起部１７，１８は、ノズル１３の軸方向の中央で最大高さｈ１７，ｈ１８を有しているので、ノズル入口１３ａ近傍で最大高さを有するときよりも、ノズル出口１３ｂから吹き出る風の風速を位置によって異ならせる効果を高くすることができる。
【００５８】
また、上記突起部１７，１８は、ノズル出口１３の軸方向の略中央で最大高さを有するので、ノズル出口１３ｂからノズル１３を見たときの美観が低下するのを防ぐことができる。
【００５９】
また、上記ノズル１３の軸方向に垂直な方向、かつ、突出方向に平行な方向において、仮想平滑面Ｆに対する突起部の高さは、ノズル出口１３ｂに近づくにしたがって減少するので、ノズル出口１３ｂ内の風の圧力損失を低く抑えつつ、その風の流れに不均一性を生じさせることができる。
【００６０】
また、上記ノズル１３の軸方向において、突起部１７，１８の表面はノズル出口１３ｂの内壁に滑らかに接続されているので、ノズル入口１３ａからノズル出口１３ｂへ流れる風の圧力損失を抑制しつつ、その風の流れに不均一性を生じさせることができる。
【００６１】
仮に、上記ノズル入口１３ａがノズル出口１３ｂと同形状であれば、ノズル出口１３ｂから吹き出された風は、吹き出された瞬間から、ノズル出口１３ｂの上下左右の周囲流体(風速０の流体)との間に働くせん断力により広げられる。これにより、上記風は、風速が著しく低下する結果、到達距離が短くなる。このとき、ノズル入口１３ａおよびノズル出口１３ｂの内壁において、ノズル１３の軸方向に垂直な縦方向の長さが上記軸方向に垂直な横方向の長さと略同じであると、風の到達距離はさらに短くなる。
【００６２】
また、上記ノズル１３のノズル入口１３ａ近傍の内壁において、ノズル１３の軸方向に垂直な縦方向(図２の全図における上下方向)の長さは、ノズル１３の軸方向に垂直な横方向(図２の左図，右図における左右方向)の長さと略同じである。
【００６３】
また、上記ノズル出口１３ｂは略楕円形状であるので、ノズル出口１３ｂにおいて横方向の両端部以外の部分から吹き出る風の風速が低下するのを防ぐことができる。
【００６４】
また、上記ノズル１３の軸方向に垂直な縦方向の長さは、ノズル入口１３ａ側からノズル出口１３ｂ側に近づくにしたがって減少するので、ノズル出口１３ｂから吹き出た直後の風の風向を上下方向の内側に向けることができる。これにより、上記風は、ノズル出口１３ｂの上下方向の周囲流体(風速０の流体)に引っ張られ難く、上下方向の外側に広がり難い。したがって、上記風の風速を抑制できるので、その風の到達距離が短くなるのを防ぐことができる。
【００６５】
また、上記ノズル出口１３ｂの開口面積ａを２０３５ｍｍ２、ノズル入口１３ａの開口面積Ａを１８８５ｍｍ２にしているので、ノズル１３から風を押し出す力が強くなる。したがって、ファン１６の負荷を軽くして、消費電力を低減することができる。その結果、ファン１６による送風の効率を向上させることができる。
【００６６】
また、上記突起部１７，１８のそれぞれの表面は湾曲面を含むので、ノズル１３内の風の圧力損失を低く抑えつつ、ノズル１３内の風の流れに不均一性をより確実に生じさせることができる。
【００６７】
また、上記ヘアドライヤ１はイオン発生器１５を本体部３内に有しているので、ノズル出口１３ｂから吹き出るべき風にＰＣＩをのせて、毛髪および頭皮に潤いやツヤなどを与えることが可能である。
【００６８】
また、上記ノズル出口１３ｂから吹き出るべき風にＰＣＩをのせた場合、ＰＣＩによって静電気を抑え、髪のダメージを低減することも可能である。
【００６９】
上記実施形態１では、ノズル１３の内壁に、内側に向かって突出する突起部１７，１８を設けていたが、突起部１７，１８の一方だけを設けるようにしてもよい。このようにする場合、ノズル１３の軸方向に垂直な方向、かつ、突起部１７，１８の一方が突出する突出方向に平行な方向において、吐出口３ｂの内縁とノズル１３吹出口の内縁とを通る仮想平滑面Ｆに対する突起部１７，１８の一方の最大高さが、「０．１≦ｈ／Ｈ≦０．６」のｈとなる。この場合、「０．１≦ｈ／Ｈ≦０．６」のHは、上記実施形態１と同じである。
【００７０】
また、上記ノズル１３の内壁に、内側に向かって突出する突起部１７，１８を設ける場合、仮想平滑面Ｆに対する突起部１７，１８の高さを０．５Ｈ以上にすることはできない。
【００７１】
これに対して、上記ノズル１３の内壁に、内側に向かって突出する突起部１７，１８の一方を設ける場合、仮想平滑面Ｆに対する突起部１７，１８の一方の高さを０．５Ｈ以上にすることはできる。ただし、上記仮想平滑面Ｆに対する突起部１７，１８の一方の高さは１．０Ｈ以上にはできない。
【００７２】
上記実施形態１において、スイッチ９の操作によって、ズル１３から温風と冷風とが自動的に交互に吹き出るようにしてもよい。このようにすると、温度の異なる風により温められた頭皮を冷風で引き締めることや、温められて乾燥し広がった毛髪を引き締め、キューティクルを整えることが可能である。
【００７３】
上記実施形態１では、ノズル出口１３ｂの開口面積ａとノズル入口１３ａの開口面積Ａとは、
１．０≦ａ／Ａ≦２．４
を満たすように設定してもよい。このように設定すれば、図７に示すように、ノズル１３から風を押し出す力が強くなるようにして、ファン１６の負荷を軽くして、消費電力を低減することができる効果が得られる。なお、図７の風量は、ファン回転数を１００００ｒｐｍにして測定したものである。
【００７４】
また、上記ノズル１３内の風流路は、ノズル入口１３ａからノズル出口１３ｂにむかって連続的に滑らかに広がるようにすると共に、上記横方向の広がり角度を１０度以内としてもよい。このようにすれば、図８に示すように、ノズル出口１３ｂの風量の低下を防ぐことができる。
【００７５】
上記実施形態１において、ノズル１３のノズル出口１３ｂ近傍の内壁において、ノズル１３の軸方向に垂直な縦方向の長さに対する、ノズル１３の軸方向に垂直な横方向の長さの比は、２以上にしてもよい。
【００７６】
上記実施形態１では、ノズル出口１３ｂを、略楕円形状にしていたが、例えば、陸上のトラック形状、つまり、長方形の全ての角部を円弧にした形状、別の言い方をすれば、角丸長方形状にしてもよい。
【００７７】
上記実施形態１では、突起部１７，１８は、ノズル１３の軸方向の中央で最大高さｈ１７，ｈ１８を有していたが、ノズル１３の軸方向の略中央で最大高さｈ１７，ｈ１８を有してもよい。
【００７８】
上記実施形態１では、本体部３が、ヒータ１１およびイオン発生器１５を搭載していたが、ヒータ１１およびイオン発生器１５を搭載しなくてもよい。
【００７９】
上記実施形態１において、把持部２または本体部３内の空洞内に、ＬＥＤ(発光ダイオード)等の光源と、この光源の光を導光するアクリル等の透光性を有する合成樹脂材料で形成された導光部材とを配置してもよい。
【００８０】
上記空洞内に光源を配置した場合、この光源はヘアドライヤ１の動作モードの表示手段として利用することができる。例えば、ヒータ１１を使用していて温風が吹き出されている状態では赤色、ヒータ１１を使用せず冷風が吹き出されている状態では緑色、イオン発生器１５が稼動していてＰＣＩが放出されている状態では青色といったように、動作状態に応じて色を変化させるようにすることができる。この場合、複数の色に対応する複数の光源が実装され、制御回路が複数の光源の発光を制御することになる。なお、上記制御回路によって光源を点滅させたり、その点滅間隔を制御したり、発光強度を変化させたりすることもできるし、これら発光形態を種々の動作モードに対応づけて設定することもできる。
【００８１】
[実施形態２]
図９は、本発明の実施形態２のヘアドライヤのノズル２１３を、ノズル２１３の軸方向に垂直な面で切った断面を模式的に示す図である。なお、上記ノズル２１３の軸方向に垂直な面は、ノズル２１３の軸方向の略中央を通っている。
【００８２】
上記ヘアドライヤのノズル２１３以外の構成は上記実施形態１と同様にしている。このノズル２１３の内壁には、内側に向かって突出する４個の突起部２１７，２１８，２１９，２２０が設けられている。
【００８３】
また、上記突起部２１７，２１８，２１９，２２０は、ノズル２１３の軸方向に垂直な面でノズル２１３を切ったとき、四角形の対角に位置するように設けられている。
【００８４】
また、上記突起部２１７，２１８は、上記断面の外縁をなす略楕円の短軸方向(図９の上下方向)において互いに対向し、上記実施形態１と同様に、
０．１≦ｈ／Ｈ≦０．６
を満たす。ここで、上記ｈは、突起部２１７の最大高さと、突起部２１８の最大高さの合計値である。また、上記Ｈは、突起部２１７，２１８の最大高さの点を通ってノズル２１３の軸方向に垂直な方向に延在する直線上において、仮想平滑面同士間の距離である。この仮想平面は、上記実施形態１と同様に、ノズル２１３のノズル入口の内縁とノズルのノズル出口の内縁とを通る仮想平滑面である。また、突起部２１７，２１８の最大高さの求め方も、上記実施形態１と同様である。
【００８５】
また、上記突起部２１９，２２０も、上記断面の外縁をなす略楕円の短軸方向において互いに対向し、上記実施形態１と同様に、
０．１≦ｈ／Ｈ≦０．６
を満たす。ここで、上記ｈは、突起部２１９の最大高さと、突起部２２０の最大高さの合計値である。また、上記Ｈは、突起部２１９，２２０の最大高さの点を含んでノズル２１３の軸方向に垂直な方向に延在する直線上において、仮想平滑面同士間の距離である。この仮想平面は、上記実施形態１と同様に、ノズル２１３のノズル入口の内縁とノズルのノズル出口の内縁とを通る仮想平滑面である。また、突起部２１９，２２０の最大高さの求め方も、上記実施形態１と同様である。
【００８６】
なお、図９において、ノズル２１３内の数値は、この数値が記載されている領域の風速を示している。
【００８７】
図１０は、上記ノズル２１３を側方から見た概略図である。また、図１１は、上記ノズル２１３を上方から見た概略図である。また、図１０，図１１において、ノズル出口２１３ｂから吹き出る風速と風向を矢印で示している。例えば、長い矢印の領域は、短い矢印の領域よりも、風速が強い領域である。
【００８８】
図９〜図１１から明らかなように、突起部２１７，２１８，２１９，２２０を、四角形の対角に位置するように設けることにより、ノズル１３内を流れる風の流れに生じさせる不均一性を高めることができる。
【００８９】
また、上記ノズル２１３に換えて、図１２〜図１８に示すノズル３１３，４１３，５１３，６１３，７１３，８１３，９１３のいずか一つを用いてもよい。
【００９０】
図１２〜図１８は、図９と同様に、ノズル３１３，４１３，５１３，６１３，７１３，８１３，９１３を、ノズル３１３，４１３，５１３，６１３，７１３，８１３，９１３の軸方向に垂直な面で切った断面を模式的に示す図である。
【００９１】
上記ノズル３１３の内壁には、図１２に示すように、内側に向かって突出する１１個の突起部３１７，３１８，…，３２７と、断面略円弧形状の溝部３５１，３５２，…，３６１とが設けられている。
【００９２】
上記ノズル４１３の内壁には、図１３に示すように、内側に向かって突出する８個の突起部４１７，４１８，…，４２４と、断面略Ｖ字形状の溝部４５１，４５２，…，４５８とが設けられている。
【００９３】
上記ノズル５１３の内壁には、図１４に示すように、内側に向かって突出すると共に、四角形の対角に位置するように、２個の突起部５１７，５１８が設けられている。
【００９４】
上記ノズル６１３の内壁には、図１５に示すように、内側に向かって突出する３個の突起部６１７，６１８，６１９が設けられている。また、突起部６１７，６１８は四角形の対角に位置するようになっている。
【００９５】
上記ノズル７１３の内壁には、図１６に示すように、内側に向かって突出する４個の突起部７１７，７１８，７１９，７２０と、断面略コ字状の溝部７５１，７５２と、断面略Ｖ字状の溝部７５３，７５４とが設けられている。
【００９６】
上記ノズル８１３の内壁には、図１７に示すように、内側に向かって突出する４個の突起部８１７，８１８，８１９，８２０と、断面略コ字状の溝部８５１，８５２，８５３，８５４とが設けられている。
【００９７】
上記ノズル９１３の内壁には、図１８に示すように、内側に向かって突出する４個の突起部９１７，９１８，９１９，９２０と、断面略コ字状の溝部９５１，９５２，９５３，９５４とが設けられている。
【００９８】
このようなノズル３１３，４１３，５１３，６１３，７１３，８１３，９１３から吹き出した風を髪に当てることより、毛髪の束を効果的にばらし、毛髪と風の接触面積を増やして、乾燥時間を短縮できる。
【００９９】
また、上記ノズル３１３，４１３，５１３，６１３，７１３，８１３，９１３内を風が流れることにより、その風の流れに不均一性をより確実に生じさせることができる。
【０１００】
本発明の送風装置１は、
吸入口３ａおよび吐出口３ｂを有する本体部３と、
上記本体部３内に配置され、上記吸入口３ａから上記吐出口３ｂに向けて送風するファン６と、
上記吐出口３ｂに装着されたノズル１３，２１３，３１３，４１３，５１３，６１３，７１３，８１３，９１３と
を備え、
上記ノズル１３，２１３，３１３，４１３，５１３，６１３，７１３，８１３，９１３は、上記吐出口３ｂに連結されるノズル入口１３ａ，２１３ａを一端に有すると共に、開口するノズル出口１３ｂ，２１３ｂを他端に有する筒体で構成され、
上記ノズル１３，２１３，３１３，４１３，５１３，６１３，７１３，８１３，９１３の内壁には、内側に向かって突出する突起部１７，１８，２１７〜２２０，３１７〜３２７，４１７〜４２４，５１７，５１８，６１７〜６１９，７１７〜７２０，８１７〜８２０，９１７〜９２０が、単数、または、上記ノズルの軸方向に垂直な方向において互いに対向するように複数設けられ、
上記突起部１７，１８，２１７〜２２０，３１７〜３２７，４１７〜４２４，５１７，５１８，６１７〜６１９，７１７〜７２０，８１７〜８２０，９１７〜９２０は、
０．１≦ｈ／Ｈ≦０．６
ｈ：上記突起部１７，１８，２１７〜２２０，３１７〜３２７，４１７〜４２４，５１７，５１８，６１７〜６１９，７１７〜７２０，８１７〜８２０，９１７〜９２０の軸方向に垂直な方向、かつ、上記突起部１７，１８，２１７〜２２０，３１７〜３２７，４１７〜４２４，５１７，５１８，６１７〜６１９，７１７〜７２０，８１７〜８２０，９１７〜９２０が突出する突出方向において、上記ノズル入口１３ａ，２１３ａの内縁と上記ノズル出口１３ｂ，２１３ｂの内縁とを通る仮想平滑面Ｆに対する上記突起部１７，１８，２１７〜２２０，３１７〜３２７，４１７〜４２４，５１７，５１８，６１７〜６１９，７１７〜７２０，８１７〜８２０，９１７〜９２０の最大高さ、または、上記最大高さの合計値
Ｈ：上記突起部１７，１８，２１７〜２２０，３１７〜３２７，４１７〜４２４，５１７，５１８，６１７〜６１９，７１７〜７２０，８１７〜８２０，９１７〜９２０の最大高さの点を通って上記ノズル１３，２１３，３１３，４１３，５１３，６１３，７１３，８１３，９１３の軸方向に垂直な方向に延在する直線上において、上記仮想平滑面Ｆ同士間の距離
を満たすことを特徴としている。
【０１０１】
上記構成によれば、上記ファン６が吸入口３ａから吐出口３ｂに向けて送風すると、ファン６からの風がノズル入口１３ａ，２１３ａからノズル出口１３ｂ，２１３ｂに向かって流れる。このとき、上記ノズル１３，２１３，３１３，４１３，５１３，６１３，７１３，８１３，９１３内の風の一部が、０．１≦ｈ／Ｈ≦０．６を満たす突起部１７，１８，２１７〜２２０，３１７〜３２７，４１７〜４２４，５１７，５１８，６１７〜６１９，７１７〜７２０，８１７〜８２０，９１７〜９２０に衝突するので、ノズル１３，２１３，３１３，４１３，５１３，６１３，７１３，８１３，９１３内の風の流れに不均一性を確実に生じさせることができる。その結果、上記ノズル出口１３ｂ，２１３ｂから吹き出る風の風速を位置によって効果的に異ならせることができる。したがって、上記ノズル出口１３ｂ，２１３ｂから吹き出る風を、濡れて束になっている毛髪に当てた場合、毛髪の束を効果的にばらして乾燥時間を短縮できる。
【０１０２】
また、上記突起部１７，１８，２１７〜２２０，３１７〜３２７，４１７〜４２４，５１７，５１８，６１７〜６１９，７１７〜７２０，８１７〜８２０，９１７〜９２０によって、ノズル出口１３ｂ，２１３ｂから吹き出る風の風速を位置によって異ならせることができるので、特許第４４２００５９号公報の複雑な形状の仕切り壁をノズル１３，２１３，３１３，４１３，５１３，６１３，７１３，８１３，９１３内に設けなくてもよい。したがって、構造の複雑化を防ぐことができ、なおかつ圧損の上昇を抑えることができる。
【０１０３】
一実施形態の送風装置１では、
上記突起部１７，１８は、上記ノズル１３の軸方向の略中央で上記最大高さを有する。
【０１０４】
上記実施形態によれば、上記突起部１７，１８は、ノズル１３の軸方向の略中央で最大高さを有するので、ノズル入口１３ａ近傍で最大高さを有するときよりも、ノズル出口１３ｂから吹き出る風の風速を位置によって異ならせる効果を高くすることができる。
【０１０５】
また、上記突起部１７，１８は、ノズル１３の軸方向の略中央で最大高さを有するので、ノズル出口１３ｂからノズル１３を見たときの美観が低下するのを防ぐことができる。
【０１０６】
一実施形態の送風装置１では、
上記ノズル１３の軸方向に垂直な方向、かつ、上記突出方向に平行な方向において、上記仮想平滑面Ｆに対する上記突起部１７，１８の高さは、上記ノズル出口１３ｂに近づくにしたがって減少する。
【０１０７】
上記実施形態によれば、上記ノズル１３の軸方向に垂直な方向、かつ、突出方向に平行な方向において、仮想平滑面Ｆに対する突起部１７，１８の高さは、ノズル出口１３ｂに近づくにしたがって減少するので、ノズル１３内の風の圧力損失を低く抑えつつ、その風の流れに不均一性を生じさせることができる。
【０１０８】
一実施形態の送風装置１では、
上記ノズル１３の軸方向において、上記突起部１７，１８の表面は上記ノズル１３の内壁に滑らかに接続されている。
【０１０９】
上記実施形態によれば、上記ノズル１３の軸方向において、突起部１７，１８の表面は上記ノズル１３の内壁に滑らかに接続されているので、ノズル入口１３ａからノズル出口１３ｂへ流れる風の圧力損失を抑制しつつ、その風の流れに不均一性を生じさせることができる。
【０１１０】
仮に、上記ノズル入口１３ａがノズル出口１３ｂと同形状であれば、ノズル出口１３ｂから吹き出された風は、吹き出された瞬間から、ノズル出口１３ｂの上下左右の周囲流体(風速０の流体)との間に働くせん断力により広げられる。これにより、上記風は、風速が著しく低下する結果、到達距離が短くなる。このとき、上記ノズル入口１３ａおよびノズル出口１３ｂの内壁において、軸方向に垂直な縦方向の長さが軸方向に垂直な横方向の長さと略同じであると、風の到達距離はさらに短くなる。
【０１１１】
そこで、一実施形態の送風装置１では、
上記ノズル１３の上記ノズル入口１３ａ近傍の内壁において、上記ノズル１３の軸方向に垂直な縦方向の長さは、上記ノズル１３の軸方向に垂直な横方向の長さと略同じであり、
上記縦方向の長さは、上記ノズル入口１３ａ側から上記ノズル出口１３ｂ側に近づくにしたがって減少する一方、上記横方向の長さは、上記ノズル入口１３ａ側から上記ノズル出口１３ｂ側に近づくしたがって増加し、
上記ノズル１３は、
１≦ａ／Ａ≦２．４
ａ：上記ノズル出口１３ｂの開口面積
Ａ：上記ノズル入口１３ａの開口面積
を満たす。
【０１１２】
ここで、上記横方向は、上記縦方向に垂直な方向を指す。
【０１１３】
上記実施形態によれば、上記縦方向の長さは、ノズル入口１３ａ側からノズル出口１３ｂ側に近づくにしたがって減少する一方、横方向の長さは、ノズル入口１３ａ側からノズル出口１３ｂ側に近づくしたがって増加するので、ノズル１３のノズル出口１３ｂ近傍の内壁において、ノズル１３の軸方向に垂直な縦方向の長さに比べて、ノズル１３の軸方向に垂直な横方向の長さを短くすることができる。すなわち、上記ノズル出口１３ｂの空間を横長にすることができる。この場合、上記ノズル出口１３ｂの横方向の両端部から吹き出る風の風速は低下するが、ノズル出口１３ｂの他の部分から吹き出る風の風速が低下するのを防ぐことができる。
【０１１４】
また、上記縦方向の長さは、ノズル入口１３ａ側からノズル出口１３ｂ側に近づくにしたがって減少するので、ノズル出口１３ｂから吹き出た直後の風の風向を上下方向の内側に向けることができる。これにより、上記風は、ノズル出口１３ｂの上下方向の周囲流体(風速０の流体)に引っ張られ難く、上下方向の外側に広がり難い。したがって、上記風の風速を抑制できるので、その風の到達距離が短くなるのを防ぐことができる。
【０１１５】
また、上記ノズル１３が１≦ａ／Ａ≦２．４を満たすので、ノズル出口１３ｂでの風速が低下する。このとき、運動エネルギー保存則により、風の静圧が上昇するため、風を押し出す力が強くなる。したがって、上記ファン６の負荷を軽くして、消費電力を低減することができる。その結果、上記ファン６による送風の効率を向上させることができる。
【０１１６】
なお、上記ノズル１３のノズル出口１３ｂ近傍の内壁において、ノズル１３の軸方向に垂直な縦方向の長さに対する、ノズル１３の軸方向に垂直な横方向の長さの比は、２以上にしてもよい。
【０１１７】
また、上記ノズル１３内の風流路は、ノズル入口１３ａからノズル出口１３ｂにむかって連続的に滑らかに広がるようにすると共に、広がり角度を１０度以内としてもよい。
【０１１８】
一実施形態の送風装置１では、
上記ノズル１３，２１３，３１３，４１３，５１３，６１３，７１３，８１３，９１３を上記ノズル１３，２１３，３１３，４１３，５１３，６１３，７１３，８１３，９１３の軸方向に垂直な面で切ったとき、上記ノズル１３，２１３，３１３，４１３，５１３，６１３，７１３，８１３，９１３の内壁は、円弧と直線のうち少なくとも円弧を含む形状を呈する。
【０１１９】
上記実施形態によれば、上記ノズル１３，２１３，３１３，４１３，５１３，６１３，７１３，８１３，９１３をノズル１３，２１３，３１３，４１３，５１３，６１３，７１３，８１３，９１３の軸方向に垂直な面で切ったとき、ノズル１３，２１３，３１３，４１３，５１３，６１３，７１３，８１３，９１３の内壁は、円弧と直線のうち少なくとも円弧を含む形状を呈するので、ノズル１３，２１３，３１３，４１３，５１３，６１３，７１３，８１３，９１３の内壁に沿って流れる風の流れに不均一性をより確実に生じさせることができる。
【０１２０】
一実施形態の送風装置１では、
上記突起部２１７，２１８，２１９，２２０の数は複数であり、
上記突起部２１７，２１８，２１９，２２０は、上記ノズル２１３を上記ノズル２１３の軸方向に垂直な面で切ったとき、四角形の対角に位置するように設けられている。
【０１２１】
上記実施形態によれば、上記突起部２１７，２１８，２１９，２２０は、ノズル２１３をノズル２１３の軸方向に垂直な面で切ったとき、四角形の対角に位置するように設けられているので、ノズル２１３内を流れる風の流れに生じさせる不均一性を高めることができる。
【０１２２】
一実施形態の送風装置１では、
上記ノズル３１３，４１３，７１３，８１３，９１３の内壁には、上記突起部３１７〜３２７，４１７〜４２４，７１７〜７２０，８１７〜８２０，９１７〜９２０に隣接する溝部３５１〜３６１，４５１〜４５８，７５１〜７５４，８５１〜８５４，９５１〜９５４が設けられている。
【０１２３】
上記実施形態によれば、上記ノズル３１３，４１３，７１３，８１３，９１３の内壁には、突起部３１７〜３２７，４１７〜４２４，５１７，５１８，６１７〜６１９，７１７〜７２０，８１７〜８２０，９１７〜９２０に隣接する溝部３５１〜３６１，４５１〜４５８，７５１〜７５４，８５１〜８５４，９５１〜９５４が設けられていることによって、ノズル３１３，４１３，７１３，８１３，９１３内の風が溝部３５１〜３６１，４５１〜４５８，７５１〜７５４，８５１〜８５４，９５１〜９５４に衝突するので、ノズル３１３，４１３，７１３，８１３，９１３内の風の流れに不均一性をより確実に生じさせることができる。
【０１２４】
一実施形態の送風装置１では、
上記突起部１７，１８，２１７〜２２０，４１７〜４２４，５１７，５１８，６１７〜６１９，７１７〜７２０の表面は湾曲面を含む。
【０１２５】
上記実施形態によれば、上記突起部１７，１８，２１７〜２２０，４１７〜４２４，５１７，５１８，６１７〜６１９，７１７〜７２０の表面が湾曲面を含むので、ノズル１３，２１３，４１３，５１３，６１３，７１３内の風の圧力損失を低く抑えつつ、ノズル１３，２１３，４１３，５１３，６１３，７１３内の風の流れに不均一性をより確実に生じさせることができる。
【０１２６】
また、上記実施形態１，２と上述の変形例とを適宜組み合わせたものを、本発明の一実施形態としてもよい。
【０１２７】
また、本発明は、空気を加熱する機能がなくても、風を送る機能を有する送風装置であれば、適用できる。
【符号の説明】
【０１２８】
１  ヘアドライヤ
３  本体部
３ａ  吸入口
３ｂ  吐出口
６  ファン
１３，２１３，３１３，４１３，５１３，６１３，７１３，８１３，９１３  ノズル
１３ａ，２１３ａ  ノズル入口
１３ｂ，２１３ｂ  ノズル出口
１７，１８，２１７〜２２０，３１７〜３２７，４１７〜４２４，５１７，５１８，６１７〜６１９，７１７〜７２０，８１７〜８２０，９１７〜９２０  突起部
３５１〜３６１，４５１〜４５８，７５１〜７５４，８５１〜８５４，９５１〜９５４  溝部
ｈ１７，ｈ１８  最大高さ
H  仮想平滑面同士間の距離
Ｆ  仮想平滑面
【図１】
2014094240.tif 000003
【図２】
2014094240.tif 000004
【図３】
2014094240.tif 000005
【図４】
2014094240.tif 000006
【図５】
2014094240.tif 000007
【図６】
2014094240.tif 000008
【図７】
2014094240.tif 000009
【図８】
2014094240.tif 000010
【図９】
2014094240.tif 000011
【図１０】
2014094240.tif 000012
【図１１】
2014094240.tif 000013
【図１２】
2014094240.tif 000014
【図１３】
2014094240.tif 000015
【図１４】
2014094240.tif 000016
【図１５】
2014094240.tif 000017
【図１６】
2014094240.tif 000018
【図１７】
2014094240.tif 000019
【図１８】
2014094240.tif 000020